【事件の表示】
　特許第６０８１３３１号発明「ナビゲーションシステム及びコンピュータプログラム」の特許異議申立事件について、次のとおり決定する。
【結　論】
　特許第６０８１３３１号の請求項１ないし１９に係る特許を維持する。
【理　由】
第１　手続の経緯
　特許第６０８１３３１号の請求項１ないし１９に係る特許（以下、「請求項１に係る特許」ないし「請求項１９に係る特許」という。）についての出願（以下、「本件出願」という。）は、平成２５年９月２７日に出願されたものであって、平成２９年１月２７日に設定登録がされ、その後、その特許に対し、平成２９年８月１０日に特許業務法人にじいろ特許事務所（以下、「特許異議申立人」という。）により特許異議の申立てがされたものである。
　
第２　本件発明
　請求項１ないし１９の特許に係る発明（以下、「本件発明１」ないし「本件発明１９」という。）は、それぞれ、本件特許の明細書、特許請求の範囲及び図面の記載からみて、その特許請求の範囲の請求項１ないし１９に記載された事項により特定される次のとおりのものである。
　
「【請求項１】
　現在位置を算出すると共に、設定された目的地までの経路案内を行うナビゲーションシステムであって、
　目的地として設定された地点を過去目的地地点として記憶する目的地履歴記憶部と、
　目的地履歴部に記憶されている前記過去目的地地点のうちの所定条件を満たす過去目的地地点の全ての位置を含む地理的範囲の地図と、当該地図上に配置した、前記所定条件を満たす過去目的地地点の各々に対応する、各々対応する過去目的地地点の位置を前記地図上で表す過去目的地マークとを含む目的地履歴地図を表示する目的地履歴地図表示部と、
　前記目的地地図表示部が表示した目的地履歴地図上で前記過去目的地マークの選定を受け付け、選定された前記過去目的地マークに対応する過去目的地地点の選択を受け付ける地点選択受付部とを有し、
　前記目的地履歴地図表示部は、前記目的地履歴地図に含める地図の縮尺を、前記所定条件を満たす過去目的地地点の分布範囲の大きさに応じて、前記所定条件を満たす過去目的地地点の全ての位置を当該地図中に含むように変更することを特徴とするナビゲーションシステム。
【請求項２】
　請求項１記載のナビゲーションシステムであって、
　前記目的地履歴部に記憶されている所定条件を満たす過去目的地地点とは、前記目的地履歴部に記憶されている全ての過去目的地地点であることを特徴とするナビゲーションシステム。
【請求項３】
　請求項１または２記載のナビゲーションシステムであって、
　各地理的区域毎に、前記現在位置が当該地理的区域を出入りした回数を当該地理的区域の走行頻度として記憶する走行頻度記憶部を有し、
　前記目的地履歴地図表示部は、前記目的地履歴地図に含める地図を、前記走行頻度記憶部に記憶されている各地理的区域の走行頻度に応じて、走行頻度の大きい前記地理的区域を走行頻度の小さい前記地理的区域よりも強調して表した地図とすることを特徴とするナビゲーションシステム。
【請求項４】
　請求項３記載のナビゲーションシステムであって、
　前記走行頻度記憶部は、同一の地理的範囲について重複して設定した大きさの異なる複数種類の地理的区域各々について、各地理的区域の前記走行頻度を記憶し、
　前記目的地履歴地図表示部は、前記地図内の地理的区域の数が所定範囲内になる種類の地理的区域を現用地理的区域に設定し、前記目的地履歴地図に含める地図を、前記走行頻度記憶部に記憶されている各現用地理的区域の走行頻度に応じて、走行頻度の大きい前記現用地理的区域を走行頻度の小さい前記現用地理的区域よりも強調して表した地図とすることを特徴とするナビゲーションシステム。
【請求項５】
　請求項１、２、３または４記載のナビゲーションシステムであって、
　前記目的地履歴地図表示部は、前記目的地履歴地図に含める地図を、前記現在位置を中心とした地図とすることを特徴とするナビゲーションシステム。
【請求項６】
　請求項１、２、３または４記載のナビゲーションシステムであって、
　前記目的地履歴地図表示部は、前記目的地履歴地図に含める地図の範囲が世界全域で無い場合には、当該地図を、前記現在位置を経緯度の両方向について中心とした地図とし、前記目的地履歴地図に含める地図の範囲が世界全域である場合には、当該地図を、経度が前記現在位置の経度に等しく、緯度が０である地点を中心とする地図とすることを特徴とするナビゲーションシステム。
【請求項７】
　請求項１、２、３、４、５または６記載のナビゲーションシステムであって、
　前記目的地履歴地図表示部は、前記目的地履歴地図に含める地図の縮尺を、前記所定条件を満たす過去目的地地点の分布範囲の大きさに応じて、前記所定条件を満たす過去目的地地点の全ての位置を当該地図中に含み、前記過去目的地地点の分布範囲の大きさまたは当該大きさの程度に応じて、前記地図の縮尺が小さくなるように変更することを特徴とするナビゲーションシステム。
【請求項８】
　請求項１、２、３、４、５、６または７記載のナビゲーションシステムであって、
　前記目的地履歴地図表示部は、前記目的地履歴地図として、さらに、前記地図上で現在位置を表す現在位置マークを含めた前記目的地履歴地図を表示することを特徴とするナビゲーションシステム。
【請求項９】
　請求項１、２、３、４、５、６、７または８記載のナビゲーションシステムであって、
　前記地点選択受付部は、前記目的地地図表示部が表示した前記目的地履歴地図上で指定された位置に最も近い位置に配置されている前記過去目的地マークの選定を受け付けると共に、選定された前記過去目的地マークに対応する過去目的地地点の選択を受け付けることを特徴とするナビゲーションシステム。
【請求項１０】
　請求項１、２、３、４、５、６、７または８記載のナビゲーションシステムであって、
　前記地点選択受付部は、前記目的地地図表示部が表示した前記目的地履歴地図上で指定された位置に所定レベル以上近接する位置に配置されている前記過去目的地マークの選定を受け付け、選定された前記過去目的地マークが複数存在する場合には、当該存在する複数の過去目的地マーク対応する過去目的地地点の一覧を表示し、当該一覧中で指定された過去目的地地点の選択を受け付けることを特徴とするナビゲーションシステム。
【請求項１１】
　請求項１、２、３、４、５、６、７または８記載のナビゲーションシステムであって、
　前記地点選択受付部は、前記目的地地図表示部が表示した目的地履歴地図上で指定された線に所定レベル以上近接する位置に配置されている前記過去目的地マークの選定を受け付け、選定された前記過去目的地マークが複数存在する場合には、当該存在する複数の過去目的地マーク対応する過去目的地地点の一覧を表示し、当該一覧中で指定された過去目的地地点の選択を受け付けることを特徴とするナビゲーションシステム。
【請求項１２】
　請求項１、２、３、４、５、６、７または８記載のナビゲーションシステムであって、
　前記地点選択受付部は、前記目的地地図表示部が表示した目的地履歴地図上で指定された閉図形内に配置されている前記過去目的地マークが複数存在する場合には、当該存在する複数の過去目的地マーク対応する過去目的地地点の一覧を表示し、当該一覧中から選定された過去目的地地点の選択を受け付けることを特徴とするナビゲーションシステム。
【請求項１３】
　請求項１、２、３、４、５、６、７、８、９、１０、１１または１２記載のナビゲーションシステムであって、
　前記地点選択受付部が選択を受け付けた過去目的地地点を目的地に設定する目的地設定部を有することを特徴とするナビゲーションシステム。
【請求項１４】
　請求項１、２、３、４、５、６、７、８、９、１０、１１、１２または１３記載のナビゲーションシステムであって、
　前記目的地履歴記憶部は、WAN上のサーバに配置され、当該ナビゲーションシステムのユーザが使用する複数のナビゲーションシステムによって共用されることを特徴とするナビゲーションシステム。
【請求項１５】
　コンピュータによって読み取られ実行されるコンピュータプログラムであって、
　当該コンピュータプログラムは、
　前記コンピュータを、
　現在位置を算出する現在位置算出部と、
　設定された目的地までの経路案内を経路案内部と、
　目的地として設定された地点を過去目的地地点として記憶する目的地履歴記憶部と、
　目的地履歴記憶部に記憶されている過去目的地地点のうちの所定条件を満たす過去目的地地点の全ての位置を含む地理的範囲の地図と、当該地図上に配置した、前記所定条件を満たす過去目的地地点の各々に対応する、各々対応する過去目的地地点の位置を前記地図上で表す過去目的地マークとを含む目的地履歴地図を表示する目的地履歴地図表示部と、
　前記目的地地図表示部が表示した目的地履歴地図上で前記過去目的地マークの選定を受け付け、選定された前記過去目的地マークに対応する過去目的地地点の選択を受け付ける地点選択受付部として機能させるコンピュータプログラムであって、
　前記目的地履歴地図表示部は、前記目的地履歴地図に含める地図の縮尺を、前記所定条件を満たす過去目的地地点の分布範囲の大きさに応じて、前記所定条件を満たす過去目的地地点の全ての位置を当該地図中に含むように変更することを特徴とするコンピュータプログラム。
【請求項１６】
　請求項１５記載のコンピュータプログラムであって、
　前記目的地履歴記憶部に記憶されている所定条件を満たす過去目的地地点とは、前記目的地履歴記憶部に記憶されている全ての過去目的地地点であることを特徴とするコンピュータプログラム。
【請求項１７】
　請求項１５または１６記載のコンピュータプログラムであって、
　前記目的地履歴地図表示部は、前記目的地履歴地図に含める地図を、前記現在位置を中心とした地図とすることを特徴とするコンピュータプログラム。
【請求項１８】
　請求項１５または１６記載のコンピュータプログラムであって、
　前記目的地履歴地図表示部は、前記目的地履歴地図に含める地図の範囲が世界全域で無い場合には、当該地図を、前記現在位置を経緯度の両方向について中心とした地図とし、前記目的地履歴地図に含める地図の範囲が世界全域である場合には、当該地図を、経度が前記現在位置の経度に等しく、緯度が０である地点を中心とする地図とすることを特徴とするコンピュータプログラム。
【請求項１９】
　請求項１５、１６、１７または１８記載のコンピュータプログラムであって、
　前記目的地履歴地図表示部は、前記目的地履歴地図として、さらに、前記地図上で現在位置を表す現在位置マークを含めた前記目的地履歴地図を表示することを特徴とするコンピュータプログラム。」
　
第３　特許異議申立ての理由の概要
　特許異議申立人は、証拠方法として甲第１号証ないし甲第５号証（以下、「甲１」ないし「甲５」という。）を提出し、次の申立理由を主張している。
　
１．各甲号証
　甲１：特開２００７−２９８３３８号公報
　甲２：特開平９−２９２２６２号公報
　甲３：特開平１１−８３５３１号公報
　甲４：特開２０１２−１６３７３８号公報
　甲５：特開２００６−３００５２２号公報
　
２．申立理由
　本件発明１ないし１９は、甲１ないし甲５に記載された発明に基いて、それぞれ当業者が容易に発明をすることができたものであるから、本件発明１ないし１９に係る特許は、特許法第２９条第２項の規定に違反してなされたものであって、特許法第１１３条第２号の規定により取り消されるべきものである。
　
第４　当審の判断
［１］甲１ないし甲５の記載等
１．甲１の記載等
（１）甲１の記載
　甲１には、「ナビゲーション装置」に関して、図面とともに概略以下の記載がある。（下線は、理解の一助のために当審が付与したものである。以下同様。）
　
１ａ）「【０００１】
　本発明は、
設定された目的地までの地図を表示して車両を目的地まで案内するナビゲーション装置
　
１ｂ）「【０００７】
　本発明の一実施の形態によるナビゲーション装置の構成を図１に示す。このナビゲーション装置は車両に搭載されて使用されるものであり、車両の運転者であるユーザによって目的地が設定されると、その目的地までの推奨経路を探索し、探索された推奨経路に従って自車両を目的地まで案内する。
【０００８】
　図１に示すナビゲーション装置１は、制御回路１１、ＲＯＭ１２、ＲＡＭ１３、現在地検出装置１４、画像メモリ１５、表示モニタ１６、入力装置１７およびディスクドライブ１８を有している。ディスクドライブ１８には、地図データが記録されたＤＶＤ−ＲＯＭ１９が装填される。制御回路１１は、マイクロプロセッサおよびその周辺回路からなり、ＲＡＭ１３を作業エリアとしてＲＯＭ１２に格納された制御プログラムを実行する。これにより、たとえば目的地の設定、推奨経路の探索、地図の表示などの様々な処理や制御がナビゲーション装置１において行われる。
【０００９】
　なお、
ＲＯＭ１２には記憶されているデータ内容を更新可能なフラッシュメモリが用いられており、制御プログラムの他にも、後で説明する登録地の設定情報や各登録地の履歴情報などが記憶されている。これらの内容は、新たな登録地が設定されたり、登録地のいずれかが目的地として選択されたりすることにより、適宜更新される。
【００１０】
　
現在地検出装置１４は、自車両の現在地すなわち自車位置を検出する装置
【００１１】
　画像メモリ１５は、表示モニタ１６に表示するための画像データを一時的に格納する。この画像データは、地図を表示するための地図描画用データや各種の図形データ等からなり、ＤＶＤ−ＲＯＭ１９に記録されている地図データなどに基づいて、制御回路１１により作成される。作成された画像データが制御回路１１から画像メモリ１５に出力されることによって、表示モニタ１６に地図が表示される。
【００１２】
　入力装置１７は、車両の目的地や経由地（以下、これらを合わせて単に目的地という）をユーザが設定したりするための各種入力スイッチを有している。この入力装置１７は、操作パネルやリモコン、表示モニタ１６と一体化したタッチパネルなどによって実現される。
ユーザは、入力装置１７を操作して、住所や電話番号、施設名称を入力したり、特定の地点を地図上に指定したり、後述するように予め登録された登録地のいずれかを選択したりすることにより、目的地を設定することができる。
　
１ｃ）「【００１６】
　ユーザが入力装置１７を操作して前述のように目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して地図上に表される。これにより、ユーザは推奨経路を表示モニタ１６に表示された地図上において認識することができる。また、この推奨経路に従って自車両が走行できるよう、ナビゲーション装置１は、ユーザに対して画像や音声などによる進行方向指示を行うことにより、自車両を誘導する。このように、
地図を表示して推奨経路に従って自車両を目的地まで誘導することにより、目的地までのルート案内が行われる。」
　
１ｄ）「【００１７】
　
ナビゲーション装置１が表示モニタ１６に表示する地図画面の例を図２に示す。この地図画面では、自車位置を示す自車位置マーク２０と、登録地を示す登録地アイコン２１、２２および２３が地図上に表示されている。
【００１８】
　上記のような
登録地アイコン２１〜２３の色合いの違いは、登録地ごとの選択回数、すなわち各登録地が過去に目的地として選択された回数の違いを表している。
　
１ｅ）「【００２２】
　図４は、図２の地図画面においていずれかの登録地アイコン（ここでは登録地アイコン２２とする）が選択されたときに表示される画面例である。ユーザが入力装置１７を用いたカーソル操作やタッチパネル操作によって登録地アイコン２２を選択すると、それに応じて最初に図４（ａ）のような画面が表示される。この画面には、選択された登録地アイコン２２に対して、「目的地設定」または「履歴情報表示」のいずれかをユーザに選択させるためのダイアログウインドウ３０が表示されている。
【００２３】
　
図４（ａ）の画面において「目的地設定」が選択された場合、選択された登録地アイコン２２に対応する登録地が目的地に設定され、その登録地までの推奨経路が探索される。このようにすることで、ユーザは登録地のいずれかを目的地として選択することができる。
　
１ｆ）「【００２７】
　登録地を設定する際、最初のステップＳ１１０では、登録地として登録する地点を地図上で指定する。たとえば、ユーザが地図上の任意の地点をカーソルやタッチパネル操作によって指定したり、あるいは任意の施設の名称や住所、電話番号などを指定したりすることにより、登録地とする地点が指定される。次のステップＳ１２０では、登録地アイコンの選択を行う。ナビゲーション装置１には予め様々なデザインの登録地アイコンが記憶されており、ユーザがその中から登録地の種類などに応じて適当なデザインの登録地アイコンを選択することにより、登録地アイコンが選択される。
【００２８】
　ステップＳ１３０では、登録地の設定を行う。ここでは、
ステップＳ１１０で指定された登録地と、ステップＳ１２０で選択された登録地アイコンとを組み合わせてフラッシュメモリであるＲＯＭ１２に記憶することにより、登録地の設定を行う。
　
１ｇ）「【００２９】
　次に、図５（ｂ）のフローチャートについて説明する。登録地アイコンを地図上に表示する際、
最初のステップＳ２１０では、地図の表示範囲内に登録地があるか否かを判定する。登録地がある場合は次のステップＳ２２０へ進み、その登録地についての履歴情報をＲＯＭ１２から読み出す。
【００３０】
　
ステップＳ２３０では、ステップＳ２２０で読み出した履歴情報に基づいて、当該登録地における選択回数または目的地到達率を算出する。
【００３１】
　ステップＳ２４０では、ステップＳ２３０で算出された選択回数または目的地到達率に基づいて、登録地アイコンの表示形態を設定する。ここでは、図２または図３の例で説明したようにして、算出された選択回数または目的地到達率が所定のしきい値と比較され、その比較結果に応じて、ステップＳ１２０で選択された登録地アイコンの色合いや形状が設定される。
【００３２】
　ステップＳ２５０では、当該登録地を表す登録地アイコンを、ステップＳ２４０で設定された表示形態で地図上に表示する。ステップＳ２５０を実行したら、図５（ｂ）のフローチャートを終了する。このようにして登録地アイコンが表示される。
【００３３】
　なお、複数の登録地が地図範囲内にある場合、以上説明したような処理が各登録地に対してそれぞれ実行される。これにより、各登録地についての選択回数または目的地到達率が登録地ごとに算出され、算出された登録地ごとの選択回数または目的地到達率に応じて、複数の登録地アイコンがそれぞれ異なる表示形態で表示される。」（段落【００２９】ないし【００３３】）
　
１ｈ）「【００３４】
　次に、図５（ｃ）のフローチャートについて説明する。登録地の中から目的地を選択する際、最初のステップＳ３１０では、登録地の選択を行う。ここでは、
ユーザの操作に応じて、設定されている登録地のうちのいずれかを、目的地に設定する登録地として選択する。
【００３５】
　ステップＳ３３０では、ステップＳ３２０で表示したダイアログウインドウにおいて、「目的地設定」または「履歴情報表示」のどちらがユーザによって選択されたかを判定する。「目的地設定」の方が選択された場合はステップＳ３４０へ進み、「履歴情報表示」が選択された場合はステップＳ３６０へ進む。以下、ステップＳ３４０へ進んだ場合から先に説明する。
【００３６】
　ステップＳ３４０では、ステップＳ３１０で選択された登録地を目的地に設定する。ステップＳ３５０では、ステップＳ３４０で設定した目的地までの推奨経路を探索する。ステップＳ３５０を実行したら図５（ｃ）のフローチャートを終了する。その後は、探索された推奨経路に従って目的地までのルート案内を行う。このようにして登録地の中から目的地が選択される。
【００３７】
　次にステップＳ３６０へ進んだ場合について説明する。ステップＳ３６０では、ステップＳ３１０で選択された目的地について図４（ｂ）に示した履歴情報ウィンドウ３１を表示することにより、選択された登録地に関する履歴情報を表示する。ステップＳ３６０を実行したら図５（ｃ）のフローチャートを終了する。このようにして登録地の履歴情報が表示される。
【００３８】
　以上説明した実施の形態によれば、次の作用効果を奏することができる。
（１）ＲＯＭ１２に記憶された履歴情報を読み出し（ステップＳ２２０）、その履歴情報に表された過去にその登録地が選択されたときの履歴に応じて、登録地アイコンの表示形態を設定する（ステップＳ２４０）。こうして設定された表示形態で登録地アイコンを表示する（ステップＳ２５０）ことにより、登録地アイコンの表示形態を変化させることとした。このようにしたので、登録地アイコンの表示形態の違いにより、登録地を目的地として選択する際の目安となる情報をユーザに提示することができる。
【００３９】
（２）地図の表示範囲内にある登録地について選択回数または目的地到達率をそれぞれ算出し（ステップＳ２３０）、算出された選択回数または目的地到達率に基づいて、登録地アイコンの表示形態をステップＳ２４０において設定することにより、登録地アイコンの表示形態を変化させるとした。このようにしたので、登録地アイコンの表示形態を確実かつ容易に決定することができる。
【００４０】
（３）選択された登録地について、過去にその登録地が選択されたときの履歴情報を表示する（ステップＳ３６０）こととしたので、さらに詳しい情報をユーザに提示することができる。」（段落【００３４】ないし【００４０】）
　
（２）甲１発明
　上記（１）及び図１ないし図５の記載を総合すると、甲１には次の発明（以下、「甲１発明」という。）が記載されている。
　
「自車位置を検出すると共に、設定された目的地までのルート案内を行うナビゲーション装置であって、
　ユーザが登録地を設定し、登録地が過去に目的地として選択されたときの履歴情報を記憶するＲＯＭ１２と、
　地図の表示範囲内の登録地を表し、登録地ごとの過去に目的地として選択された選択回数に応じて異なる表示形態で表示する登録地アイコンを地図上に表示する表示モニタ１６と、
　表示モニタ１６が表示した地図上で登録地アイコンの選択を受け付け、選定された登録地アイコンに対応する登録地を目的地に設定する入力装置１７とを有する、
ナビゲーション装置。」
　
２．甲２の記載等
（１）甲２の記載
　甲２には「周辺施設検索表示方法及び誘導経路の目的地設定方法」に関して、図面とともに概略以下の記載がある。
　
２ａ）「【請求項１】  車載用ナビゲーション装置による周辺施設検索表示方法において、
ユーザが検索基点及び検索すべき施設のジャンルを指定すると、前記検索基点を中心とした検索範囲内に存在する指定されたジャンルの施設を検索し、
前記検索基点と検索した全ての施設とが１画面に入る縮尺で地図画像を表示する
【請求項２】  前記検索した施設は前記検索基点から近い順に番号を付けて前記地図画像に表示することを特徴とする請求項１に記載の周辺施設検索表示方法。
【請求項３】  検索数が予め設定された数に到達するまで検索範囲を段階的に拡大して前記指定されたジャンルの施設を検索することを特徴とする請求項１又は２に記載の周辺施設検索表示方法。
【請求項４】  車載用ナビゲーション装置による周辺施設への誘導経路の目的地設定方法において、
ユーザが検索基点及び検索すべき施設のジャンルを指定すると、前記検索基点を中心とした検索範囲内に存在する指定されたジャンルの施設を検索し、
前記検索基点と検索した全ての周辺施設とが１画面に入る縮尺で地図画像を表示し、
前記地図画像表示画面、前記地図画像の拡大表示画面又は検索した施設のリスト表示画面のいずれかの画面でユーザが特定の施設を選択すると、選択された施設を誘導経路探索の目的地として設定することを特徴とする誘導経路の目的地設定方法。」（【特許請求の範囲】の【請求項１】ないし【請求項４】）
　
２ｂ）「【００１９】まず、ナビゲーション装置に電源を投入した状態又は誘導経路に沿って最終目的地に向けて移動しているときにユーザが周辺施設検索モードを指定すると、図２に示すように、ディスプレイ画面上に車両の現在位置を中心とした地図画像が表示される（ステップ１０１，１０２）。このとき、カーソル２１は車両の現在位置にある。ユーザは、必要に応じて操作部１３を操作し地図画像をスクロールさせて、カーソル２１を所望の位置に移動させた後、画面上の周辺施設検索ボタン２２を押す。これにより、ＣＰＵ１は、カーソル位置を検索基点としてメモリ４に登録する（ステップ１０３）。
【００２０】その後、ナビゲーション装置は、図３に示すようにディスプレイ画面に検索メニューを表示する（ステップ１０４）。この検索メニューは、１画面に例えば８つのジャンルが表示されたボタン２３と上下矢印ボタン２４，２５とが描画されていて、上下矢印ボタン２４，２５を押すと次の８つのジャンルが表示される。次に、ユーザが所望のジャンルを選択しそのジャンルのボタン２３を押す（ステップ１０５）と、ＣＰＵ１はＣＤ−ＲＯＭ１１からそのジャンルの施設のデータを読み出してメモリ４に格納する。そして、ＣＰＵ１は、例えば検索範囲を検索基点を中心とする半径５ｋｍの範囲とし、この範囲内に存在する施設を検索する（ステップ１０６）。この場合に、検索数が２０に満たない場合は検索範囲を１０ｋｍとし、それでも検索数が２０に満たない場合は検索範囲を１５ｋｍというように検索範囲を例えば５ｋｍづつ増加させて、検索数が２０になるまで、又は検索範囲が１００ｋｍになるまで検索する。
【００２１】このようにして
周辺施設を検索した後、図４に示すように、ＣＰＵ１は検索した周辺施設を検索基点に近い順からリストにしてディスプレイ画面に表示する（ステップ１０７）。
【００２２】その後、ステップ１０８に進み、ユーザが所望の施設のボタン３１を押すと、ステップ１１５に進んでその施設が誘導経路の目的地として設定される。一方、ユーザが画面表示された地図ボタン２７を押すとステップ１０９に進む。ステップ１０９では、
図５に示すように、ＣＰＵ１は検索基点を中心として検索した全ての施設が画面に入る大きさでディスプレイ装置１５に地図画像を表示し、検索した全ての施設を近いものから順に１、２、、…２０というように数字付きで画面に表示する
　
２ｃ）「【００２８】
【発明の効果】以上説明したように、本発明によれば、検索基点及び検索した全ての施設が１画面に入る縮尺で地図画像を表示するとともに、前記
検索基点及び検索した全ての施設をこの地図画像に表示するので、ユーザは検索基点とその周辺の施設との位置関係を一目で把握することができ、進行方向に沿った最適な施設を容易に選択することができる。
　
（２）甲２技術
　上記（１）及び図１ないし図５の記載を総合すると、甲２には次の技術（以下、「甲２技術」という。）が記載されている。
　
「ユーザが検索基点及び検索すべき施設のジャンルを指定すると、検索基点を中心とした検索範囲内に存在する指定されたジャンルの周辺施設を検索し、検索基点と検索した全ての施設とが１画面に入る縮尺で地図画像をディスプレイ装置１５に表示することにより、ユーザは検索基点と周辺施設との位置関係を一目で把握することができるようにする技術。」
　
３．甲３の記載等
（１）甲３の記載
　甲３には「情報提供装置及び情報提供プログラムを記録した記録媒体」に関して、図面とともに概略以下の記載がある。
　
３ａ）「【請求項１】　所定の位置検出手段によって位置が検出され、且つ特定の検出対象の移動によって生成される複数の位置情報を入力する入力手段と、
前記入力手段によって入力された複数の位置情報に基づいて、
特定の広さを有する領域毎に、その領域と前記検出対象との関わり具合を、親密度として求める親密度計算手段と、
前記親密度に応じた情報を提供する情報提供手段を設けたことを特徴とする情報提供装置。
【請求項２】  請求項１記載の情報提供装置において、前記親密度計算手段が、時系列に並ぶ複数の位置情報に基づいて、前記
検出対象の各々の領域に対する通過回数を求め、該通過回数に応じて、前記親密度を算出する
【請求項３】  請求項２記載の情報提供装置において、前記親密度計算手段が、予め定めた複数の領域に対する前記通過回数の総数と、特定の領域に対する前記通過回数に応じて、前記特定の領域に関する前記親密度を算出することを特徴とする情報提供装置。」（【特許請求の範囲】の【請求項１】ないし【請求項３】）
　
３ｂ）「【００２８】請求項３は、請求項２記載の情報提供装置において、前記
親密度計算手段が、予め定めた複数の領域に対する前記通過回数の総数と、特定の領域に対する前記通過回数に応じて、前記特定の領域に関する前記親密度を算出する
　
３ｃ）「【００７１】ステップＳ２では、領域幅入力部１７５の状態を読みとり、領域幅の変更指示の有無を調べる。ユーザは、領域幅の変更を希望する場合には、領域幅入力部１７５を操作することによって、領域幅の変更指示を入力できる。領域幅の変更指示がなければ、処理はステップＳ２からＳ３を通ってステップＳ５に進む。領域幅の変更指示が入力されると、ステップＳ３からステップＳ４に進む。」（段落【００７１】）
　
（２）甲３技術
　上記（１）及び図１ないし図３７の記載を総合すると、甲３には次の技術（以下、「甲３技術」という。）が記載されている。
　
「検出対象の各々の領域に対する通過回数を求め、通過回数に応じて親密度を算出する技術。」
　
４．甲４の記載等
（１）甲４の記載
　甲４には「施設情報提供装置、施設情報提供システム、サーバ装置、端末装置、施設情報提供方法、および、プログラム」に関して、図面とともに概略以下の記載がある。
　
４ａ）「【請求項１】
　入力部と出力部と記憶部と制御部とを少なくとも備えた施設情報提供装置であって、
　上記記憶部は、
　地図情報を記憶する地図情報記憶手段と、
　少なくとも施設の地点情報およびカテゴリ情報を含む施設情報を記憶する施設情報記憶手段と、
　を備え、
　上記制御部は、
　利用者により上記入力部を介してカテゴリが入力されるよう制御するカテゴリ入力制御手段と、
　上記施設情報記憶手段に記憶された上記施設情報に基づいて、上記カテゴリ入力制御手段の制御により入力された上記カテゴリに該当する所定数の上記施設が表示領域に含まれる上記地図情報の縮尺を推奨縮尺として算出する推奨縮尺算出手段と、
　上記推奨縮尺算出手段により算出された上記推奨縮尺を上記出力部を介して出力させる推奨縮尺出力手段と、
　を備えたことを特徴とする、施設情報提供装置。」（【特許請求の範囲】の【請求項１】）
　
４ｂ）「【０１３９】
　そして、施設情報出力部４０２ｊは、施設情報編集部４０２ｈにより出力用に編集されたＰＯＩ情報を、地図出力部４０２ｍの制御により出力される縮尺値指定前の地図情報上に重畳させた、表示画面を出力部４１４に出力する（ステップＳＣ−９）。なお、上述のステップＳＣ−５において、縮尺値が設定されたと入力判定部４０２ｋにより判定されると（ステップＳＣ−５、Ｙｅｓ）、地図出力部４０２ｍは、設定された縮尺値に従った地図情報を出力部４１４に出力して縮尺変更を行う（ステップＳＣ−１０）。施設情報出力部４０２ｊは、一例として、施設情報編集部４０２ｈにより編集されたＰＯＩ情報の表示要素に基づくアイコン等の描画データ等を出力部４１４に出力表示させてもよい。なお、出力部４１４に表示させたＰＯＩのアイコン等が利用者により入力部４１６を介して指定された場合、施設情報出力部４０２ｊは、当該指定されたアイコンにかかる詳細なＰＯＩ情報（ＰＯＩの名称（地点名称や施設名称等）など）やＰＯＩまでの直線距離等を更に表示させてもよい。なお、
地図出力部４０２ｍは、表示する地図の中心座標を、現在位置情報取得部４０２ａによって取得される現在位置情報の更新に従って変更してもよい。
　
（２）甲４技術
　上記（１）並びに図８及び図９の記載を総合すると、甲４には次の技術（以下、「甲４技術」という。）が記載されている。
　
「施設情報提供装置において、表示する地図の中心座標を現在位置情報の更新に従って変更する技術。」
　
５．甲５の記載等
（１）甲５の記載
　甲５には「ナビゲーション装置」に関して、図面とともに概略以下の記載がある。
　
５ａ）「【請求項１】
　地図を含む各種の画像を表示する画像表示手段と、
　前記画像表示手段に対するユーザのタッチ位置に基づいて、ユーザからのタッチパネル操作を検出するタッチパネル操作検出手段と、
　前記タッチパネル操作検出手段により検出されたタッチパネル操作に基づいて、施設を探索するための施設探索領域を前記画像表示手段により表示された地図上に設定する施設探索領域設定手段と、
　前記施設探索領域設定手段により設定された施設探索領域内に位置する施設を前記地図中で探索する施設探索手段と、
　前記施設探索手段により探索された施設をリスト表示するリスト表示手段と、
　前記リスト表示手段によりリスト表示された施設のいずれかを目的地に設定する目的地設定手段と、
　前記目的地設定手段により設定された目的地まで至る推奨経路を探索する経路探索手段とを備えることを特徴とするナビゲーション装置。」（【特許請求の範囲】の【請求項１】）
　
５ｂ）「【００１８】
　上記のようにして推奨経路の一部分を設定したら、次にユーザは目的地を設定する。このとき本実施形態のナビゲーション装置１では、ユーザのタッチパネル操作に基づいて施設を探索するための特定の領域を地図上に設定し、その領域内にある施設を探索してリスト表示する。そして、表示されたリスト中からユーザに選択された施設を目的地に設定する。このようにすることで、様々な施設が密集している市街地などの地域においても、その密集した施設の中からユーザが目的地に設定したい施設を正確に指定できるようにしている。この点について、以下に図４〜９を用いて説明する。
【００１９】
　図４は、上記で説明したようにして推奨経路２２の一部分がユーザのタッチパネル操作により設定された後に、表示モニタ１６に表示されている地図上の一点をユーザがタッチし続けたときの様子を示している。この状態のまま所定時間が経過すると、図５に示すように、タッチされている地点を中心に円形の領域３０が表示される。
【００２０】
　そのままさらに所定時間が経過すると、次に図６に示すように、円形領域３０が図５よりも広がって表示される。その後も図６の状態から所定時間が経過すると、図７に示すように円形領域３０がより一層広がって表示される。このように、地図上の一点をユーザがタッチし続けると、そのタッチ地点を中心とする円形の領域がタッチ時間に応じて徐々に拡大表示される。なお、円形領域が予め定められた所定の大きさとなった場合や、画面の端まで到達した場合などは、拡大表示をストップするようにしてもよい。
【００２１】
　図７の状態となったときに、
ユーザがそれまでタッチし続けた指等を表示モニタ１６から離すと、次に図８のようなリスト画面が表示される。このリスト画面では、図７の円形領域３０内に位置している施設の名称がリスト４０のようにリスト表示される。このリスト表示された施設名称の中からユーザがいずれかを選択すると、その施設を目的地とする推奨経路が探索される。」
　
５ｃ）「【００４８】
　
ステップＳ２６０では、ユーザからの領域指定操作の受け付けを行う。次のステップＳ２７０では、ステップＳ２６０においてユーザからの領域指定操作が入力されたか否かを判定する。領域指定操作が入力された場合、すなわち図１２の符号５１に示すような軌跡がユーザのタッチパネル操作によって地図上でなぞられた場合は、ステップＳ２８０へ進む。
　
（２）甲５技術
　上記（１）及び図４ないし図９並びに図１２及び図１３の記載を総合すると、甲５には次の技術（以下、「甲５技術」という。）が記載されている。
　
「ナビゲーション装置において、表示モニタ１６の一点をユーザがタッチした地点を中心とする領域に位置する施設がリスト表示され、リスト表示された施設名称の中からユーザがいずれかを選択することにより、その選択された施設を目的地とする推奨経路が探索される技術。」　
　
［２］異議理由について
１．本件発明１について
　本件発明１と甲１発明とを対比する。
　甲１発明における「自車位置」は、その機能、構成又は技術的意義から、本件発明１における「現在位置」に相当し、以下同様に、「検出」は「算出」に、「ルート案内」は「経路案内」に、「ナビゲーション装置」は「ナビゲーションシステム」にそれぞれ相当する。
　そして、甲１発明における「ユーザが登録地を設定し、登録地が過去に目的地として選択されたときの履歴情報を記憶するＲＯＭ１２」と、本件発明１における「目的地として設定された地点を過去目的地地点として記憶する目的地履歴記憶部」とは、「過去に目的地として設定された地点に関する情報を記憶する記憶部」という限りにおいて一致し、
　甲１発明における「地図の表示範囲内の登録地を表し、登録地ごとの過去に目的地として選択された選択回数に応じて異なる表示形態で表示する登録地アイコンを地図上に表示する表示モニタ１６」と、本件発明１における「目的地履歴部に記憶されている過去目的地地点のうちの所定条件を満たす過去目的地地点の全ての位置を含む地理的範囲の地図と、当該地図上に配置した所定条件を満たす過去目的地地点の各々に対応する、各々対応する過去目的地地点の位置を地図上で表す過去目的地マークとを含む目的地履歴地図を表示する目的地履歴地図表示部」とは、「地図上で過去に目的地として設定された地点に関する情報を表示する表示部」という限りにおいて一致し、
　甲１発明における「表示モニタ１６が表示した地図上で登録地アイコンの選択を受け付け、選定された登録地アイコンに対応する登録地を目的地に設定する入力装置１７」と、本件発明１における「目的地地図表示部が表示した目的地履歴地図上で過去目的地マークの選定を受け付け、選定された過去目的地マークに対応する過去目的地地点の選択を受け付ける地点選択受付部」とは、「表示部により表示された地図上で目的地とする地点の選択を受け付ける受付部」という限りにおいて一致する。
　
　よって、両者の一致点及び相違点は以下のとおりである。
　
［一致点］
「現在位置を算出すると共に、設定された目的地までの経路案内を行うナビゲーションシステムであって、
　過去に目的地として設定された地点に関する情報を記憶する記憶部と、
　地図上で過去に目的地として設定された地点に関する情報を表示する表示部と、
　表示部により表示された地図上で目的地とする地点の選択を受け付ける受付部とを有するナビゲーションシステム。」
　
［相違点１］
　「過去に目的地として設定された地点に関する情報を記憶する記憶部」に関して、本件発明１においては「目的地として設定された地点を過去目的地地点として記憶する目的地履歴記憶部」であるのに対して、甲１発明においては「ユーザが登録地を設定し、登録地が過去に目的地として選択されたときの履歴情報を記憶するＲＯＭ１２」であって、過去に登録地以外で目的地として選択された地点がＲＯＭ１２に記憶されるか不明である点。
　
［相違点２］
　「地図上で過去に目的地として設定された地点に関する情報を表示する表示部」に関して、本件発明１においては「目的地履歴部に記憶されている過去目的地地点のうちの所定条件を満たす過去目的地地点の全ての位置を含む地理的範囲の地図と、当該地図上に配置した所定条件を満たす過去目的地地点の各々に対応する、各々対応する過去目的地地点の位置を地図上で表す過去目的地マークとを含む目的地履歴地図を表示する目的地履歴地図表示部」であるのに対して、甲１発明においては「地図の表示範囲内の登録地を表し、登録地ごとの過去に目的地として選択された選択回数に応じて異なる表示形態で表示する登録地アイコンを地図上に表示する表示モニタ１６」である点。
　
［相違点３］
　「表示部により表示された地図上で目的地とする地点の選択を受け付ける受付部」に関して、本件発明１においては「目的地地図表示部が表示した目的地履歴地図上で過去目的地マークの選定を受け付け、選定された過去目的地マークに対応する過去目的地地点の選択を受け付ける地点選択受付部」であるのに対して、甲１発明においては「表示モニタ１６が表示した地図上で登録地アイコンの選択を受け付け、選定された登録地アイコンに対応する登録地を目的地に設定する入力装置１７」である点。
　
［相違点４］
　本件発明１においては「目的地履歴地図表示部は、目的地履歴地図に含める地図の縮尺を、所定条件を満たす過去目的地地点の分布範囲の大きさに応じて、所定条件を満たす過去目的地地点の全ての位置を当該地図中に含むように変更する」のに対して、甲１発明においては、表示モニタ１６において、そのような表示を行なうか不明である点。
　
　事案に鑑み、まず上記相違点２について検討する。
　
［相違点２について］
　甲２技術は、「ユーザが検索基点及び検索すべき施設のジャンルを指定すると、検索基点を中心とした検索範囲内に存在する指定されたジャンルの周辺施設を検索し、検索基点と検索した全ての施設とが１画面に入る縮尺で地図画像をディスプレイ装置１５に表示することにより、ユーザは検索基点と周辺施設との位置関係を一目で把握することができるようにする技術」であるが、甲２技術におけるディスプレイ装置１５に表示する地図画像は、検索基点を中心とした検索範囲内に存在する
指定されたジャンルの周辺施設の全て
　よって、甲１発明及び甲２技術ないし甲５技術に基いて上記相違点２に係る本件発明１の発明特定事項とすることは当業者が容易になし得たことではない。
　
　そうすると、上記相違点１、相違点３及び相違点４について検討するまでもなく本件発明１は、甲１発明及び甲２技術ないし甲５技術に基いて当業者が容易に発明をすることができたものではない。
　
２．本件発明２ないし１４について
　本件特許の特許請求の範囲における請求項２ないし１４は、請求項１の記載を直接又は間接的に、かつ、請求項１の記載を他の記載に置き換えることなく引用して記載されたものであるから、本件発明２ないし１４は、本件発明１の発明特定事項を全て含むものである。
　したがって、本件発明２ないし１４は、本件発明１と同様の理由により、甲１発明及び甲２技術ないし甲５技術に基いて当業者が容易に発明をすることができたものではない。
　
３．本件発明１５について
　本件発明１５は、本件発明１における「ナビゲーションシステム」を「コンピュータプログラム」として表現したものであって、上記２．において検討した相違点２に係る本件発明１の発明特定事項である「目的地履歴部に記憶されている過去目的地地点のうちの所定条件を満たす過去目的地地点の全ての位置を含む地理的範囲の地図と、当該地図上に配置した所定条件を満たす過去目的地地点の各々に対応する、各々対応する過去目的地地点の位置を地図上で表す過去目的地マークとを含む目的地履歴地図」を発明特定事項として含むものである。
　したがって、本件発明１と同様の理由により、甲１発明及び甲２技術ないし甲５技術に基いて当業者が容易に発明をすることができたものではない。
　
４．本件発明１６ないし１９について
　本件特許の特許請求の範囲における請求項１６ないし１９は、請求項１５の記載を直接又は間接的に、かつ、請求項１５の記載を他の記載に置き換えることなく引用して記載されたものであるから、本件発明１６ないし１９は、本件発明１５の発明特定事項を全て含むものである。
　したがって、本件発明１６ないし１９は、本件発明１５と同様の理由により、甲１発明及び甲２技術ないし甲５技術に基いて当業者が容易に発明をすることができたものではない。
　
第５　むすび
　したがって、特許異議申立ての理由及び証拠によっては、請求項１ないし１９に係る特許を取り消すことはできない。
　また、他に請求項１ないし１９に係る特許を取り消すべき理由を発見しない。
　よって、結論のとおり決定する。
【異議決定日】
平成２９年１０月１９日（２０１７．１０．１９）